(57)【特許請求の範囲】
【請求項１】
歯科用Ｘ線撮像装置において、口腔内挿入型ＣＣＤ−Ｘ線画像センサの画像信号送出線の端部を画像表示パネルを備えたデジタルカメラ本体の人力端子に接続し、かつデジタルカメラ本体は歯科用Ｘ線操作盤に隣接して形設されたデジタルカメラ本体保持具に着脱自在に保持されてなり、そして前記デジタルカメラのシャッタは前記歯科用Ｘ線操作盤近傍のＸ線出力管用電力線に掛止された電流センサに接続されて歯科用Ｘ線照射シャッタに連動作動する制御装置に接続されてなることを特徴とする簡易歯科用Ｘ線撮像装置。
【請求項２】
歯科用Ｘ線撮像装置において、口腔内挿入型ＣＣＤ−Ｘ線画像センサの画像信号送出線の端部を画像表示パネルを備えたデジタルカメラ本体の入力端子に接続し、かつデジタルカメラ本体は歯科用Ｘ線操作盤上に形設されたデジタルカメラ本体保持具に着脱自在に保持されてなり、そして前記デジタルカメラのシャッタは前記歯科用Ｘ線操作盤近傍のＸ線出力管用電力線に掛止された電流センサに接続されて歯科用Ｘ線照射シャッタに連動作動する制御装置に接続されてなることを特徴とする簡易歯科用Ｘ線撮像装置。
【請求項３】
前記デジタルカメラ本体が、ビデオプリンタ用の出力端子を備えてなることを特徴とする請求項１又は２に記載の簡易歯科用Ｘ線撮像装置。
【請求項４】
前記デジタルカメラ本体が、外部大型表示パネル用の出力端子を備えてなることを特徴とする請求項１〜３のいずれか１項に記載の簡易歯科用Ｘ線撮像装置。
【請求項５】
前記デジタルカメラ本体が、外部ＣＰＵ用の出力端子を備えてなることを特徴とする請求項１〜４のいずれか１項に記載の簡易歯科用Ｘ線撮像装置。
【請求項６】
歯科用Ｘ線撮像装置が可搬型のものであることを特徴とする請求項１〜５のいずれか１項に記載の簡易歯科用Ｘ線撮像装置。
【発明の詳細な説明】
【０００１】
【発明の属する技術分野】
本発明は歯科用Ｘ線撮像装置に係り、特に、口腔内挿入型ＣＣＤ−Ｘ線画像センサにより得られるデジタル画像を、デジタルカメラで記録表示する簡易歯科用Ｘ線撮像装置に関する。
【０００２】
【従来の技術】
従来、歯科における歯牙Ｘ線画像の表示処理装置として、口腔内挿入型のＣＣＤ−Ｘ線画像センサによるデジタル画像は、専用コンピュータに取り込まれてメモリされ、また専用ソフトウエアによって画像処理した後、表示、プリントアウト、管理データの作成等が行われていた。
【０００３】
【発明が解決しようとする課題】
しかしながら、上記Ｘ線画像の表示処理装置は、独立した専用の各種の装置を必要とし、製作が、複雑でかつ高度の技術が必要とされるため一式の製品は非常に高価で、その普及が課題であった。そこで本発明は、製作コストを大幅に引き下げた低廉な普及価格の歯科用Ｘ線撮像装置を提供する。
【０００４】
【課題を解決するための手段】
本願の発明者は、上記に鑑み鋭意研究の結果、下記に示す手段によりこの課題を解決した。
（１） 歯科用Ｘ線撮像装置において、口腔内挿入型ＣＣＤ−Ｘ線画像センサの画像信号送出線の端部を画像表示パネルを備えたデジタルカメラ本体の人力端子に接続し、かつデジタルカメラ本体は歯科用Ｘ線操作盤に隣接して形設されたデジタルカメラ本体保持具に着脱自在に保持されてなり、そして前記デジタルカメラのシャッタは前記歯科用Ｘ線操作盤近傍のＸ線出力管用電力線に掛止された電流センサに接続されて歯科用Ｘ線照射シャッタに連動作動する制御装置に接続されてなることを特徴とする簡易歯科用Ｘ線撮像装置。
（２）  歯科用Ｘ線撮像装置において、口腔内挿入型ＣＣＤ−Ｘ線画像センサの画像信号送出線の端部を画像表示パネルを備えたデジタルカメラ本体の入力端子に接続し、かつデジタルカメラ本体は歯科用Ｘ線操作盤上に形設されたデジタルカメラ本体保持具に着脱自在に保持されてなり、そして前記デジタルカメラのシャッタは前記歯科用Ｘ線操作盤近傍のＸ線出力管用電力線に掛止された電流センサに接続されて歯科用Ｘ線照射シャッタに連動作動する制御装置に接続されてなることを特徴とする簡易歯科用Ｘ線撮像装置。
（３）  前記デジタルカメラ本体が、ビデオプリンタ用の出力端子を備えてなることを特徴とする（１）項又は（２）項に記載の簡易歯科用Ｘ線撮像装置。
（４）  前記デジタルカメラ本体が、外部大型表示パネル用の出力端子を備えてなることを特徴とする（１）項〜（３）項のいずれか１項に記載の簡易歯科用Ｘ線撮像装置。
（５）  前記デジタルカメラ本体が、外部ＣＰＵ用の出力端子を備えてなることを特徴とする（１）項〜（４）項のいずれか１項に記載の簡易歯科用Ｘ線撮像装置。
（６）  歯科用Ｘ線撮像装置が可搬型のものであることを特徴とする（１）項〜（５）項のいずれか１項に記載の簡易歯科用Ｘ線撮像装置。
【０００５】
【発明の実施の形態】
以下に本発明の実施の形態を図面に基づいて説明する。  図１は本発明の簡易歯科用Ｘ線撮像装置の一例の実装外観図である。
図において、１はデジタルカメラ本体、２は表示パネル、３は出力用端子、４はＸ線操作盤、５はエミッションボタン、６は螺旋コード、７は歯科用Ｘ線室、８は扉、９は監視用覗き窓、１０は作動表示ランプ、１１は扉のノブ、１００はデジタルカメラ本体の保持具、をそれぞれ示す。
図２は図１のＸ−Ｘ断面図で歯科用Ｘ線室とデジタルカメラとの実装図である。図において、１２は口腔内挿入型ＣＣＤ−Ｘ線画像センサ（ＣＣＤＸ線像センサ）、１３はＣＣＤセンサコード、１４は電流センサ、１５は電流センサコード、１６はＸ線出力管用電力線、１７はＸ線装置支持台、１８はデンタルＸ線装置、１９は患者用チェア、２４、２６は外部機器接続用コード、をそれぞれ示す。
図２に示したように、放射線防護壁で取り囲まれた歯科用Ｘ線室７の内部には、デンタルＸ線装置１８及びＸ線装置支持台１７が設置されている。
そして図１に示したように、その外壁にはＸ線操作盤４及び螺旋コード６を有するエミッションボタン５が設置されており、またその操作線は外壁を貫通して前記歯科用Ｘ線室７のデンタルＸ線装置１８に接続されている。
【０００６】
また、図１のＸ線操作盤４に隣接した上部にはデジタルカメラ本体１がデジタルカメラ本体の保持具１００によって着脱自在に保持されている。デジタルカメラ本体の保持具１００は、例えば薄型箱状で上壁部及び操作者側のディスプレイ部面が開口し、デジタルカメラ本体１を上方から挿入引き出して着脱できる（後記）。
上記デジタルカメラ本体１は、前記歯科用Ｘ線室７の内部のデンタルＸ線装置１８の近辺まで延設された口腔内挿入型ＣＣＤ−Ｘ線画像センサ（ＣＣＤＸ線像センサ）１２（図２）の画像信号送出線（ＣＣＤセンサコード）１３の端部に入力端子（図示せず）により接続されている。
そして、前記デジタルカメラ本体１のシャッタは、歯科用Ｘ線撮像装置（デンタルＸ線装置）１８のＸ線操作盤４近傍のＸ線出力管用電力線１６に掛止された電流センサ１４に接続されており、歯科用Ｘ線照射シャッタ（エミッションスイッチ）５に連動作動するデジタルカメラシャッタ用前記電流センサ１４により、作動するようになっている。
さらに、出力用端子３を有し、外部機器接続用コード２４及び２６により外部機器（図３）にも接続が可能になっていてる。
そして、本実施例では、デジタルカメラ本体１はＸ線操作盤４に隣接して設置されているが、拡大したＸ線操作盤４を設けてそのスペースに設置してもよい。
【０００７】
前記デジタルカメラ本体１の保持について事例を説明する。
図１のＸ線操作盤４に隣接した上部にはデジタルカメラ本体１がデジタルカメラ本体の保持具１００によって着脱自在に保持されているが、デジタルカメラ本体の保持具１００は、例えば薄型箱状で上壁部及び操作者側のディスプレイ部面が開口し、デジタルカメラを上方から挿入引き出して着脱できる。
図４は、デジタルカメラ本体保持具の外観斜視図である。
図において、１０１は開口部、１０２は保持具取り付け孔、１０３はデジタルカメラの着脱方向、１０４は背面貫通孔、１０５は出力端子用切り欠き、１０６はセンサ入力用切り欠き、をそれぞれ示す。
図示したように、デジタルカメラ本体の保持具１００は、保持具取り付け孔１０２によって、例えば前記歯科用Ｘ線室７の外壁に取り付ける。
前記Ｘ線操作盤４のＸ線出力管用電力線１６は、予め外壁に穿孔された通線孔を通って、Ｘ線操作盤４の背面から通線されている（図２）。
そして、デジタルカメラ本体１の背面から前記Ｘ線室７の、デンタルＸ線装置１８に延設されているＣＣＤセンサコード１３及び電流センサコード１５は、前記通線孔を通って通線され、デジタルカメラ本体１側のコネクター（図示せず）によってデジタルカメラ本体１の背面に接続されている。デジタルカメラ本体の保持具１００の背面貫通孔１０４は上記の位置に合わせて穿孔されている。
【０００８】
あるいは、センサ入力用切り欠き１０６のある側面に前記デジタルカメラ本体１側のコネクター（図示せず）を設けて、前記ＣＣＤセンサコード１３及び電流センサコード１５は外壁側で着脱してもよい。なお、この場合外壁には通線孔を設けて歯科用Ｘ線室７の内側に通線する。
上記によって、前記デジタルカメラ本体１は、デジタルカメラの着脱方向１０３のように上下に移動させることにより着脱できる。
また、デジタルカメラ本体１は外部への出力端子用切り欠き１０５を有しており、外部機器との接続が容易である。
【０００９】
前述したように、デジタルカメラ本体１は、前記歯科用Ｘ線室７の内部のデンタルＸ線装置１８の近辺まで延設された口腔内挿入型ＣＣＤ−Ｘ線画像センサ（ＣＣＤＸ線像センサ）１２（図２）の画像信号送出線（ＣＣＤセンサコード）１３の端部に入力端子（図示せず）により接続されている。
そして、前記デジタルカメラ本体１のシャッタは、歯科用Ｘ線撮像装置（デンタルＸ線装置）１８のＸ線操作盤４近傍のＸ線出力管用電力線１６に掛止された電流センサ１４に接続されており、歯科用Ｘ線照射シャッタ５に連動作動するデジタルカメラシャッタ用前記電流センサ１４により、作動するようになっている。  さらに、出力用端子３を有し、外部機器接続用コード２４及び２６により外部機器（図３）にも接続が可能になっていてる。
そして、本実施例では、デジタルカメラ本体１はＸ線操作盤４に隣接して設置されているが、拡大したＸ線操作盤４を設けてそのスペースに設置してもよい。
【００１０】
図３は歯科用Ｘ線室の内部及び外部を展開して開示した外観接続図である。図において、２０はＸ線操作盤の操作パネル、２１はデジタルカメラ用の操作盤、２２はフラッシュメモリ、２３はフラッシュメモリの挿脱方向、２５は外部ＣＰＵ接続端子、２７は外部大型表示パネル及びビデオプリンター接続端子、２８はＡＣプラグ、２９はＡＣコード、３０は大型表示パネル、３１はビデオプリンター、３２はＣＰＵ、３７は外部回線、をそれぞれ示す。
Ｘ線操作盤の操作パネル２０は撮像条件を設定する各種スイッチを備えており、患者の状態に応じて選定して撮像されると共に、デジタルカメラ用の操作盤２１は、撮像したＸ線画像を、各種の所要画像に選択表示選定できる。
また、フラッシュメモリ２２は、前記ＣＣＤＸ線画像センサ１２からのデジタル画像をメモリし、表示パネル２への表示や、デジタルカメラ本体１の画像処理用として使用されるが、メモリした後別途取り出して、例えばさらに大型のメモリに挿着して一体として蓄積あるいは、直接外部の大型表示パネル等で表示を行うことができる。
【００１１】
そして、ビデオカメラ本体１は、外部の大型表示パネル及びビデオプリンタ接続端子２７を有しているので、ビデオプリンタ３１におけるハードコピー出力や、前記大型表示パネル３０で表示することができる。
また、外部ＣＰＵ接続端子２５を有しており、外部のＣＰＵ３２に接続できるため、さらに多くの画像処理や外部回線３７への送出等を行うことができる。
【００１２】
また、本簡易歯科用Ｘ線撮像装置は、小型軽量でかつ、Ｘ線装置本体の加工等は全く行わずに付設することができるため、前述した歯科用Ｘ線室内のＸ線装置への付設のみならず、歯科用Ｘ線撮像装置が可搬型のものにも付設することができる。
【００１３】
図５は本発明の簡易歯科用Ｘ線撮像装置のブロックダイヤである。
図に基づいて本装置の作用を説明する。図において、３３はタイマー、３４はタイマー連動スイッチ、３５は高圧発生部３６はＸ線出力管、３８は処理ソフト、をそれぞれ示す。
撮像用Ｘ線発生については既存のものであるので概要を説明する。
ＡＣプラグ２８からのＡＣ電源は、Ｘ線操作盤４を介してＸ線出力管用電力線１６によりデンタルＸ線装置１８の高圧発生部３５に供給され、Ｘ線出力管３６によってＸ線が発生される。Ｘ線操作盤４は対象とする患者の種別や、歯牙の位置等による照射時間を調節するためのタイマー３３の操作設定スイッチをもつ操作パネル２０により設定後、エミッションボタン５を押すことによりタイマー連動スイッチ３４をＯＮさせて所定時間Ｘ線を照射する。
【００１４】
一方、ＣＣＤＸ線像センサ１２は、患者の口腔内に挿入され、患者の手指によって対象の歯牙に当接されており、前記Ｘ線が照射されるとセンサに結像された歯牙像はデジタルの画像信号で、リード線１３によりデジタルカメラ本体１に送られる。
また、前記デジタルカメラ本体１のシャッターのタイミングは、図示したように前記エミッションスイッチ５をＯＮすると、Ｘ線撮像装置の操作盤近傍のＸ線出力管用電力線１６に掛止されたＣＣＤＸ線像センサ（電流センサ）１４によりＸ線撮像装置の作動が検出され、その検出信号により、歯科用Ｘ線照射シャッタに連動して作動する制御装置と同時に作動する。
前記電流センサ１４は、例えばＣＴ（Ｃｕｒｒｅｎｔ Ｔｒａｎｓｆｏｍｍｅｒ）方式の交流電流センサでよく、また、前記Ｘ線出力管用電力線１６の掛止用としては、電力線の外被に装着できるクランプ型が望ましい。
【００１５】
前記のようにして撮像された歯牙Ｘ線の画像は、デジタルカメラ本体１内のカメラ制御部を介してフラッシュメモリ２２にメモリされ、画像処理部により画像処理された画像の種類がデジタルカメラ用の操作盤２１により所要画面が選択されて、表示部２に表示される。また、画像処理のソフトは、処理ソフト３８が用意されている。
【００１６】
そして、外部大型表示パネル及びビデオプリンタ接続端子２７に接続することによりビデオプリンタ３１によりハードコピーが得られ、また、大型表示パネル３０に接続することにより拡大画像が得られる。
さらに、外部ＣＰＵ接続端子２５からＣＰＵ３２に接続することにより、多くの画像処理を行うことができ、ＣＰＵから外部回線３７に送出することもできる。 あるいは、前記フラッシュメモリ２２を取り出して、さらに大型のメモリに挿着して外部の大型表示パネルでの表示や、メモリの大量蓄積を行うことができる。
【００１７】
周知のように、歯科用Ｘ線像は白黒画像でありかつ、静止画像である。また撮像する口腔内の歯牙は２〜３本が対象となるため、特に高精細度の画像である必要もなく、コンパクトにまとめられている汎用のデジタルカメラ方式で十分実用に供することができる。
本発明の簡易歯科用Ｘ線撮像装置は、画像の処理にデジタルカメラ方式を採用し、シャッターには電流センサを採用して、Ｘ線撮像装置に隣接あるいは近傍に付設することにより実用的な普及性のある装置を提供することができる。
【００１８】
【発明の効果】
本願発明によれば下記に示す優れた効果を発揮する。
１、本発明の請求項１の発明によれば、
歯科用Ｘ線撮像装置において、口腔内挿入型ＣＣＤ−Ｘ線画像センサと画像表示パネルを備えたデジタルカメラ本体を歯科用Ｘ線操作盤に隣接して形設されたデジタルカメラ本体保持具に着脱自在に保持させ、また、デジタルカメラのシャッタは、Ｘ線照射シャッタに連動作動する制御装置に接続されてなり、歯科用Ｘ線撮像装置に容易に付設することができる。Ｘ線画像はデジタルカメラ本体の表示パネルに同時に表示されるので、操作性に優れた実用的で低廉な普及性のある簡易歯科用Ｘ線撮像装置を提供することができる。
また、デジタルカメラのシャッタは、歯科用Ｘ線撮像装置の操作盤近傍のＸ線出力管用電力線に掛止された電流センサに接続されて、歯科用Ｘ線照射シャッタに連動作動するため、電流センサを電力線の外被の上からクランプして容易にセットすることができる。
２、請求項２の発明によれば、
デジタルカメラ本体は歯科用Ｘ線操作盤上に形設されたデジタルカメラ本体保持具に着脱自在に保持されてなるため、予め設置スペースを設けたＸ線操作盤、あるいはスペースを付加したＸ線操作盤上に設置してもよく、付設が容易である。
また、デジタルカメラのシャッタは、歯科用Ｘ線撮像装置の操作盤近傍のＸ線出力管用電力線に掛止された電流センサに接続されて、歯科用Ｘ線照射シャッタに連動作動するため、電流センサを電力線の外被の上からクランプして容易にセットすることができる。
【００１９】
３、請求項３の発明によれば、
デジタルカメラ本体が、ビデオプリンタ用の出力端子を備えてなるため、ビデオプリンタに接続することにより、簡単にハードコピーを得ることができる。
４、請求項４の発明によれば、
デジタルカメラ本体が、外部大型表示パネル用の出力端子を備えてなるため、歯牙Ｘ線像を拡大して表示することができる。
５、請求項５の発明によれば、
デジタルカメラ本体が、外部ＣＰＵ用の出力端子を備えてなるため、外部のＣＰＵに接続することにより、多くの画像処理を行うことができ、また、外部への回線に接続することもでき、応用範囲が拡大できる。
６、請求項６の発明によれば、
歯科用Ｘ線撮像装置が小型軽量でかつ、Ｘ線装置本体の加工等は行わずに付設することができるため、可搬型の歯科用Ｘ線撮像装置に容易に付設することができるため、利用分野が広い。
【図面の簡単な説明】
【図１】本発明の簡易歯科用Ｘ線撮像装置の実装外観図。
【図２】図１のＸ−Ｘ断面図で歯科用Ｘ線室とデジタルカメラとの実装図。
【図３】歯科用Ｘ線室の内部及び外部を展開して開示した外観接続図。
【図４】デジタルカメラ本体保持具外観斜視図。
【図５】本発明の簡易歯科用Ｘ線撮像装置のブロックダイヤ。
【符号の説明】
１：デジタルカメラ本体
２：表示パネル
３：出力用端子
４：Ｘ線操作盤
５：エミッションボタン
６：螺旋コード
７：歯科用Ｘ線室
８：扉
９：監視用覗き窓
１０：作動表示ランプ
１１：扉のノブ
１２：口腔内挿入型ＣＣＤ−Ｘ線画像センサ（ＣＣＤＸ線像センサ）
１３：ＣＣＤセンサコード
１４：電流センサ
１５：電流センサコード
１６：Ｘ線出力管用電力線
１７：Ｘ線装置支持台
１８：デンタルＸ線装置
１９：患者用チェア
２０：Ｘ線操作盤の操作パネル
２１：デジタルカメラ用の操作盤
２２：フラッシュメモリ
２３：フラッシュメモリの挿脱方向
２４：外部機器接続用コード
２５：外部ＣＰＵ接続端子
２６：外部機器接続用コード
２７：外部大型表示パネル及びビデオプリンター接続端子
２８：ＡＣプラグ
２９：ＡＣコード
３０：大型表示パネル
３１：ビデオプリンター
３２：ＣＰＵ
３３：タイマー
３４：タイマー連動スイッチ
３５：高圧発生部
３６：Ｘ線出力管
３７：外部回線
３８：処理ソフト
１００：保持具
１０１：開口部
１０２：保持具取り付け孔
１０３：デジタルカメラの着脱方向
１０４：背面貫通孔
１０５：出力端子用切り欠き
１０６：入力センサ用切り欠き
【図１】
0004250784.tif 000002
【図２】
0004250784.tif 000003
【図３】
0004250784.tif 000004
【図４】
0004250784.tif 000005
【図５】
0004250784.tif 000006